(57)【要約】【課題】汎用のプリンタ等で患者名等の情報を表面に明瞭に記載されて、包埋カセットに脱落不可能に装着される包埋カセット用タグ、この包埋カセット用タグが脱落不可能に装着される包埋カセット、および複数の包埋カセット用タグからなる包埋カセット用タグシートを提供する。【解決手段】包埋カセット用タグ１００は、文字、記号、または図形を表面に印刷または刻印される表示部１１０と、包埋カセット２００に形成された係合凹部２１６に収容されて係合する係合突起１２０と、を備え、表示部１１０の表面を外側にして包埋カセット２００に脱落不可能に装着される。【選択図】図１
0003129201.tif 000002
【実用新案登録請求の範囲】
【請求項１】
文字、記号、または図形が表面に印刷または刻印される表示部と、
包埋カセットに形成された係合凹部に収容されて係合する係合突起と、を備え、
前記表示部の表面を外側にして前記包埋カセットに脱落不可能に装着されることを特徴とする、
包埋カセット用タグ。
【請求項２】
前記表示部は、幅狭部と幅広部からなり、
前記係合突起は、前記表示部の両側面から幅方向に突出することを特徴とする、
請求項１に記載の包埋カセット用タグ。
【請求項３】
前記係合突起は、
前記係合凹部内へ自身を導入するための導入端部と、
長手方向の移動を抑止するための第１の係止端部と、
表裏方向の移動を抑止するための第２の係止端部を備えることを特徴とする、
請求項１または２に記載の包埋カセット用タグ。
【請求項４】
前記係合突起は、前記表示部と同一の厚さであることを特徴とする、
請求項１乃至３のいずれかに記載の包埋カセット用タグ。
【請求項５】
前記係合凹部を備え、
請求項１乃至４のいずれかに記載の包埋カセット用タグが脱落不可能に装着されることを特徴とする、
包埋カセット。
【請求項６】
請求項１乃至４のいずれかに記載の包埋カセット用タグが表面を外側にした状態で嵌合される嵌合凹部を、さらに備えることを特徴とする、
請求項５に記載の包埋カセット。
【請求項７】
請求項１乃至４のいずれかに記載の複数の包埋カセット用タグが、
互いに直接または棒状もしくは板状のランナを介して、容易に切り離し可能に、平面的に接続されてなることを特徴とする、
包埋カセット用タグシート。
【請求項８】
表面に実線、破線、点線または鎖線状の切込が形成された薄板であり、
前記切込に沿って切断されることで、
請求項１乃至４のいずれかに記載の包埋カセット用タグが、少なくとも１つ形成されることを特徴とする、
包埋カセット用タグシート。
【考案の詳細な説明】
【技術分野】
【０００１】
本考案は、病理組織検査において使用される包埋カセット用タグ、包埋カセットおよび包埋カセット用タグシートに関する。
【背景技術】
【０００２】
従来、病理組織検査において、採取された組織片を包埋する際に、包埋カセットが使用されている。この包埋とは、細胞内外の水をパラフィン、セロイジンまたはエポキシ系の樹脂等に置換してブロック状に固めた包埋ブロックを作成して、組織片を薄く切りやすくすることである。
【０００３】
包埋カセットは、一端面に患者名等の組織片に関する情報が記載され、包埋の前処理である、脱水、脱脂およびパラフィン浸透の過程において、組織片を内部に収容する容器として使用される。そして、形成された包埋ブロックに接着されて、組織片に関する情報を識別して包埋ブロックを管理するのに使用される。
【０００４】
この包埋カセットに組織片に関する情報を記載する方法として、（１）鉛筆や特殊なペンを用いた手書きによる方法、（２）情報を印刷したシールを貼付する方法、（３）専用のプリンタにより印刷する方法、等があった。
【考案の開示】
【考案が解決しようとする課題】
【０００５】
しかしながら、（１）の方法では、包埋カセットが小さいことにより記入ミスや読取ミスが頻発する、記入された文字等が次第に薄れていき判読不能となる、といった問題があった。また、（２）の方法では、小さな包埋カセットに小さなシールを貼付するのに手間と時間がかかる、処理中にシールが剥がれてしまう、といった問題があった。また、（３）の方法では、１種類の包埋カセットにしか印刷ができない上に高価な専用プリンタを購入しなければならないという問題があった。
【０００６】
本考案は、斯かる実情に鑑み、汎用のプリンタ等で患者名等の情報を表面に明瞭に記載されて、包埋カセットに脱落不可能に装着される包埋カセット用タグ、この包埋カセット用タグが脱落不可能に装着される包埋カセット、および複数の包埋カセット用タグからなる包埋カセット用タグシートを提供しようとするものである。
【課題を解決するための手段】
【０００７】
（１）本考案は、文字、記号、または図形が表面に印刷または刻印される表示部と、包埋カセットに形成された係合凹部に収容されて係合する係合突起と、を備え、前記表示部の表面を外側にして前記包埋カセットに脱落不可能に装着されることを特徴とする、包埋カセット用タグである。
【０００８】
（２）本考案はまた、前記表示部は、幅狭部と幅広部からなり、前記係合突起は、前記表示部の両側面から幅方向に突出することを特徴とする、前記（１）に記載の包埋カセット用タグである。
【０００９】
（３）本考案はまた、前記係合突起は、前記係合凹部内へ自身を導入するための導入端部と、長手方向の移動を抑止するための第１の係止端部と、表裏方向の移動を抑止するための第２の係止端部を備えることを特徴とする、前記（１）または（２）に記載の包埋カセット用タグである。
【００１０】
（４）本考案はまた、前記係合突起は、前記表示部と同一の厚さであることを特徴とする、前記（１）乃至（３）のいずれかに記載の包埋カセット用タグである。
【００１１】
（５）本考案はまた、前記係合凹部を備え、前記（１）乃至（４）のいずれかに記載の包埋カセット用タグが脱落不可能に装着されることを特徴とする、包埋カセットである。
【００１２】
（６）本考案はまた、前記（１）乃至（４）のいずれかに記載の包埋カセット用タグが表面を外側にした状態で嵌合される嵌合凹部を、さらに備えることを特徴とする、前記（５）に記載の包埋カセットである。
【００１３】
（７）本考案はまた、前記（１）乃至（４）のいずれかに記載の複数の包埋カセット用タグが、互いに直接または棒状もしくは板状のランナを介して、容易に切り離し可能に、平面的に接続されてなることを特徴とする、包埋カセット用タグシートである。
【００１４】
（８）本考案はまた、表面に実線、破線、点線または鎖線状の切込が形成された薄板であり、前記切込に沿って切断されることで、前記（１）乃至（４）のいずれかに記載の包埋カセット用タグが、少なくとも１つ形成されることを特徴とする、包埋カセット用タグシートである。
【考案の効果】
【００１５】
本考案によれば、包埋カセット用タグは、汎用のプリンタ等で患者名等の組織片に関する情報を表面に明瞭に記載されて、包埋カセットに脱落不可能に装着されるため、包埋および病理検査の過程において、組織片に関する情報が明確に表示され、組織片を取り違える等といった医療事故を防ぐことができるという優れた効果を奏し得る。
【００１６】
また、前記表示部は、幅狭部と幅広部からなり、前記係合突起は、前記表示部の両側面から幅方向に突出するため、包埋カセット用タグを包埋カセットに取り付ける方向が明確に認識され、包埋カセット用タグが逆方向に取り付けられるような事態を防ぐことができる。
【００１７】
また、前記係合突起は、前記係合凹部内へ自身を導入するための導入端部と、長手方向の移動を抑止するための第１の係止端部と、表裏方向の移動を抑止するための第２の係止端部を備えるため、包埋カセット用タグは、包埋カセットにスムーズかつ確実に、脱落不可能に固定される。
【００１８】
また、前記係合突起は、前記表示部と同一の厚さであるため、薄板を包埋カセット用タグの外形に切断するだけで包埋カセット用タグが形成されるため、包埋カセット用タグを安価に製造することができる。
【００１９】
また、包埋カセットは、前記係合凹部を備え、包埋カセット用タグが脱落不可能に装着されるため、包埋および病理検査の過程において、組織片に関する情報が明確に表示され、組織片を取り違える等といった医療事故を防ぐことができる。
【００２０】
また、包埋カセットは、包埋カセット用タグが表面を外側にした状態で嵌合される嵌合凹部を、さらに備えるため、包埋カセット用タグは、突出する部分がなく包埋カセットに装着することができ、包埋カセット用タグが包埋カセットから脱落する可能性をさらに低くすることができる。
【００２１】
また、包埋カセット用タグシートは、複数の包埋カセット用タグが、互いに直接または棒状もしくは板状のランナを介して、容易に切り離し可能に、平面的に接続されてなり、また、表面に実線、破線、点線または鎖線状の切込が形成された薄板であり、前記切込に沿って切断されることで、包埋カセット用タグが、少なくとも１つ形成されるため、包埋カセットの形状ごとに専用のプリンタを用意する必要がなく、汎用の一般的なプリンタを使用して包埋カセット用タグに組織片に関する情報を印刷し、種々の形状の包埋カセットに装着することができる。また、複数の包埋カセット用タグをまとめて一度に印刷することが可能となるため、作業を迅速化することができる。
【考案を実施するための最良の形態】
【００２２】
以下、本考案の実施の形態を、添付図面を参照して説明する。
<実施形態１>
【００２３】
図１（ａ）および（ｂ）は、本考案の実施形態１に係る包埋カセット用タグ１００の正面図および底面図である。
【００２４】
同図に示されるように、包埋カセット用タグ１００は略Ｔ字形状の薄板であり、表示部１１０および係合突起１２０からなる。
【００２５】
表示部１１０は、幅狭部１１０Ａおよび幅広部１１０Ｂからなり、表面に文字、記号または図形によって採取された組織片に関する情報が印刷または刻印等される部分である。図１（ａ）では、表示部１１０の表面に日付（２００６−１１−１２）、組織片を採取した患者名（フジタ）、組織片番号（１−２）、識別番号（１２３−４５６−７８９−００００）および二次元バーコードを記載した例を示している。なお、表示部１１０の表面に記載される文字等が、上記に示すもの限られることがないのは言うまでもない。
【００２６】
係合突起１２０は、表示部１１０の幅狭部１１０Ａの幅方向両側面の４箇所から図の上下方向に突出しており、包埋カセット２００と係合する部分である。
【００２７】
なお、必要であれば、包埋カセット用タグ１００に無線ＩＣチップ等の記憶装置を取り付けてもよい。この場合、直接視認はできないが、より大量の情報を包埋カセット用タグ１００に付加することができる。
【００２８】
包埋カセット用タグ１００は、採取された組織片を脱水、脱脂等の処理をして包埋する過程において、内部に収容した包埋カセット２００と共にアルコールやクロロホルム等の薬品に浸けられたり、高温にさらされたりすることとなる。このため、包埋カセット用タグ１００の材質には耐薬品性および耐熱性を有するものが使用される。耐薬品性および耐熱性を有する材質としては、例えば、ポリアセタールやポリカーボン等が挙げられる。
【００２９】
図２（ａ）および（ｂ）は、図１（ａ）における係合突起１２０を拡大して示す図および図２（ａ）のＡ−Ａ線に沿う断面図である。
【００３０】
図２（ａ）に示されるように、係合突起１２０は、正面視が略直角三角形状であり、斜面である導入部１２２、幅広部１１０Ｂ側の面である第１の係止端部１２４および正面の面である第２の係止端部１２６を備えている。また、図２（ｂ）に示されるように、係合突起１２０は、表示部１１０の板厚よりも薄くなっている。
【００３１】
図３（ａ）、（ｂ）および（ｃ）は、実施形態１に係る包埋カセット２００の平面図、右側面図および図３（ａ）のＢ−Ｂ線に沿う断面図である。
【００３２】
同図に示されるように、包埋カセット２００は、トレー２１０および蓋２２０からなる。
【００３３】
トレー２１０は、上方に開口した略直方体の箱状であり、斜め上方に向くように傾斜がつけられたタグ取付面２１２を正面に有する。また、トレー２１０の底部には、多数の略正方形状の孔２１０Ａが形成されている。この孔２１０Ａは、薬品等をトレー内に侵入させるためのものである。
【００３４】
トレー２１０のタグ取付面２１２には、包埋カセット用タグ１００が嵌合して収容される嵌合凹部２１４が形成されている。この嵌合凹部２１４は、包埋カセット用タグ１００が、文字等が記載された表面を外側にして嵌合する形状であり、図の右側が幅広となった略Ｔ字形状となっている。嵌合凹部２１４は、この幅広となった端部が開口しており、包埋カセット用タグ１００を嵌合凹部２１４に挿入するための挿入部２１４Ａとなっている。また、嵌合凹部２１４の図の左側端部には、停止端面２１４Ｂが形成されている。さらに、嵌合凹部２１４には、包埋カセット用タグ１００の係合突起１２０が収容されて係合する係合凹部２１６が、図の上側側面および下側側面のそれぞれ２箇所に形成されている。
【００３５】
蓋２２０は、略長方形状の薄板であり、薬品等を通すための多数の略正方形状の孔２２０Ａが形成されている。蓋２２０は、トレー２１０内に採取された組織片を収容した後に、トレー２１０の開口部を塞ぐように取り付けられる。蓋２２０は、自身の一部がトレー２１０の一部と係合するため、蓋２２０は、トレー２１０に対して着脱可能であるが容易に外れることはない。
【００３６】
トレー２１０および蓋２２０の材質には、上記の包埋カセット用タグ１００と同様の材質が使用される。
【００３７】
図４（ａ）および（ｂ）は、図３（ｂ）のＣ−Ｃ線に沿う断面において係合凹部２１６を拡大して示す図および図４（ａ）のＤ−Ｄ線に沿う断面図である。
【００３８】
同図に示されるように、係合凹部２１６は、略直方体状の窪みであり、挿入部２１４Ａ側の面である第１の係止端面２１６Ａおよびタグ取付面２１２の表面側の面である第２の係止端面２１６Ｂを備えている。
【００３９】
図５（ａ）〜（ｃ）は、包埋カセット２００に包埋カセット用タグ１００を取り付ける様子を示す概略図である。図５（ａ）および（ｂ）は、包埋カセット２００のタグ取付面２１２を正面から見た図であり、図５（ｃ）は、図５（ｂ）の右側面図である。
【００４０】
図５（ａ）に示されるように、包埋カセット用タグ１００は、包埋カセット２００の挿入部２１４Ａから嵌合凹部２１４に挿入される。包埋カセット用タグ１００の側面から係合突起１２０は突出しているが、導入部１２２が嵌合凹部２１４を徐々に弾性変形させて押し広げていくと共に、係合突起１２０および表示部１１０も弾性変形して突出量を減少させるので、包埋カセット用タグ１００は、引っかかることなく嵌合凹部２１４内に挿入される。
【００４１】
図５（ｂ）に示されるように、包埋カセット用タグ１００の図の左側端面が嵌合凹部２１４の停止端面２１４Ｂと接触したところで、包埋カセット用タグ１００は停止する。そして、このときに、４つの係合突起１２０は全て係合凹部２１６内に収容される。これにより、嵌合凹部２１４、係合突起１２０および表示部１１０の弾性変形は解除されるため、包埋カセット用タグ１００は、嵌合凹部２１４に嵌合されることとなる。
【００４２】
図５（ｂ）および（ｃ）に示されるように、包埋カセット用タグ１００は、突出する部分が全くないように包埋カセット２００に装着される。
【００４３】
図６（ａ）および（ｂ）は、包埋カセット用タグ１００の係合突起１２０が包埋カセット２００の係合凹部２１６内に収容された状態を拡大して示す断面図および図６（ａ）におけるＢ−Ｂ線に沿う断面図である。
【００４４】
図６（ａ）に示されるように、係合突起１２０の第１の係止端部１２２および係合凹部２１６の第１の係止端面２１６Ａにより、包埋カセット用タグ１００の挿入部２１４Ａ方向への移動が抑止されている。また、図６（ｂ）に示されるように、係合突起１２０の第２の係止端部および係合凹部２１６の第２の係止端面２１６Ｂにより、包埋カセット用タグ１００の表面方向への移動が抑止されている。すなわち、係合突起１２０が、係合凹部２１６内に収容された状態においては、包埋カセット用タグ１００は嵌合凹部２１４から脱出する方向に移動することが完全に抑止されている。このため、一度嵌合凹部２１４と嵌合した包埋カセット用タグ１００は、包埋カセット２００から脱落することはなく、包埋カセット用タグ１００または包埋カセット２００を破壊しない限り取り外すことはできない。
【００４５】
これにより、包埋カセット２００から包埋カセット用タグ１００が不用意に脱落することはなく、包埋カセット２００内部に収容した組織片または包埋カセット２００が接着された包埋ブロックに包埋された組織片に関する情報が常に表示されることになる。従って、組織片が、誰から、何時、どのようにして採取されたかといった情報が常に明確に認識され、組織片を取り違えたりすることによる医療事故の発生を防ぐことができる。
【００４６】
図７は、実施形態１に係る包埋カセット用タグシート３００の正面図である。
【００４７】
同図に示されるように、包埋カセット用タグシート３００は、枠３１０内に複数の包埋カセット用タグ１００が棒状または板状のランナ３２０を介して平面的に接続されて形成される薄手のシートである。
【００４８】
包埋カセット用タグ１００は、この包埋カセット用タグシート３００の状態で、表面に文字、記号または図形を印刷または刻印等される。そして、１つずつ切り離されて、上述のように包埋カセット２００に装着されて使用される。ランナ３２０と包埋カセット用タグ１００の接続部分は、縮径または薄肉化されているため、包埋カセット用タグ１００は、容易にランナ３２０から切り離される。
【００４９】
この包埋カセット用タグシート３００は、薄手のシート状であるため、一般の用紙と同様に取り扱うことができる。このため、専用のプリンタを用意する必要がなく、一般の用紙を印刷するのに用いられる通常のプリンタをそのまま使用して、包埋カセット用タグ１００の表面に文字、記号または図形を印刷することができる。また、複数の包埋カセット用タグ表面に文字等を一度にまとめて印刷することができる。包埋カセット用タグ１００は、上述のように薬品に浸けられたり高温にさらされたりするため、印刷に使用するインクは、耐薬品性および耐熱性を有するインクを使用される。また、場合によっては、プリンタの代わりに刻印機を使用してもよい。この場合も汎用の刻印機を使用することができる。
【００５０】
なお、包埋カセット用タグシート３００は、包埋カセット用タグ１００がランナ３２０を介さずに、互いに直に接続されて形成されるものであってもよいし、枠３１０を有しないものであってもよい。
<実施形態２>
【００５１】
次に、本考案の実施形態２について説明する。以下、実施形態１と同一の部分については、その説明を省略する。
【００５２】
図８（ａ）および（ｂ）は、本考案の実施形態２に係る包埋カセット用タグ４００の正面図および底面図である。
【００５３】
同図に示されるように、包埋カセット用タグ４００は略Ｔ字形状の薄板であり、表示部４１０および係合突起４２０からなる。
【００５４】
表示部４１０は、幅狭部４１０Ａおよび幅広部４１０Ｂからなり、表面に文字、記号または図形が印刷または刻印等される部分である。
【００５５】
係合突起４２０は、表示部４１０の幅狭部４１０Ａの幅方向両側面の４箇所から図の上下方向に突出しており、包埋カセット５００と係合する部分である。また、図８（ｂ）に示されるように、係合突起４２０は、表示部４１０と同じ厚さとなっている。
【００５６】
図９（ａ）、（ｂ）および（ｃ）は、実施形態２に係る包埋カセット５００の平面図、右側面図および図９（ａ）のＢ−Ｂ線に沿う断面図である。
【００５７】
同図に示されるように、包埋カセット５００は、トレー５１０および蓋５２０からなる。
【００５８】
トレー５１０は、上方に開口した略直方体の箱状であり、斜め上方に向くように傾斜がつけられたタグ取付面５１２を正面に有する。
【００５９】
トレー５１０のタグ取付面５１２には、包埋カセット用タグ４００が嵌合して収容される嵌合凹部５１４が形成されている。この嵌合凹部５１４は、包埋カセット用タグ４００が、表面を外側にして嵌合する形状であり、図の右側が幅広となったＴ字形状となっている。嵌合凹部５１４は、この幅広となった端部が開口しており、包埋カセット用タグ４００を嵌合凹部５１４に挿入するための挿入部５１４Ａとなっている。また、嵌合凹部５１４の図の左側端部には、停止端面５１４Ｂが形成されている。さらに、嵌合凹部５１４には、包埋カセット用タグ４００の係合突起４２０が収容される係合凹部５１６が、図の上側側面および下側側面のそれぞれ２箇所に形成されている。そして、嵌合凹部５１４の上側側面および下側側面の縁には、嵌合凹部５１４の内側に張り出すようにガイド部５１８が形成されている。
【００６０】
図１０（ａ）および（ｂ）は、包埋カセット用タグ４００の係合突起４２０が包埋カセット５００の係合凹部５１６内に収容された状態を拡大して示す図９（ｂ）のＦ−Ｆ線に沿う断面図および図１０（ａ）におけるＧ−Ｇ線に沿う断面図である。
【００６１】
同図に示されるように、係合凹部５１６は、略直方体状の窪みであり、挿入部５１４Ａ側の面である第１の係止端面５１６Ａおよびガイド部５１８側の面である第２の係止端面５１６Ｂを備えている。
【００６２】
図１０（ａ）に示されるように、係合突起４２０の第１の係止端部４２２および係合凹部５１６の第１の係止端面５１６Ａにより、包埋カセット用タグ４００の嵌合凹部５１４の挿入部５１４Ａの方向への移動が抑止されている。また、図１０（ｂ）に示されるように、係合突起４２０の第２の係止端部および係合凹部５１６の第２の係止端面５１６Ｂにより、包埋カセット用タグ４００の表面方向への移動が抑止されている。さらに、この包埋カセット用タグ４００の表面方向への移動は、表示部４１０の表面とガイド部５１８によっても抑止されている。このため、一度嵌合凹部５１４と嵌合した包埋カセット用タグ４００は、包埋カセット５００から脱落することはなく、包埋カセット用タグ４００または包埋カセット５００を破壊しない限り取り外すことはできない。
【００６３】
図１１は、実施形態２に係る包埋カセット用タグシート６００の正面図である。
【００６４】
同図に示されるように、包埋カセット用タグシート６００は、薄手のシートであり、表面には、包埋カセット用タグ４００の外径に沿った切込６１０が複数形成されている。すなわち、切込６１０に沿って包埋カセット用タグシート６００を切断することによって、包埋カセット用タグ４００が得られるようになっている。この切込６１０は、容易に切断することが可能なものであればよく、破線、点線または鎖線状のシートを貫通する深さの切込であってもよいし、シートを貫通しない深さの実線、破線、点線または鎖線状の切込であってもよい。
【００６５】
包埋カセット用タグ４００は、この包埋カセット用タグシート６００の状態で、表面に文字、記号または図形を印刷または刻印等される。そして、１つずつ切り離されて、包埋カセット２００に装着されて使用される。
【００６６】
なお、本考案の包埋カセット用タグ、包埋カセットおよび包埋カセット用タグシートは、上記した実施の形態に限定されるものではなく、本考案の要旨を逸脱しない範囲内において種々変更を加え得ることは勿論である。
【００６７】
例えば、係合突起１２０，４２０が包埋カセット２００，５００に形成され、係合凹部２１６，５１６が包埋カセット用タグ１００、４００に形成されるようにしてもよい。
【００６８】
また、係合突起１２０，４２０は、実施の形態に示す形状に限られるものではない。例えば、導入部１２２，４２２は曲面であってもよいし、第１の係止端部１２４，４２４ならびに第２の係止端部１２６，４２６は、それぞれ斜面であってもよい。また、係合突起１２０，４２０全体は、曲面で構成されるものであってもよいし、対称形であってもよい。
【００６９】
また、包埋カセット２００，５００は、実施の形態に示す形状に限定されるものではない。例えば、トレー２１０，５１０は、タグ取付面２１２，５１２に傾斜がつけられていないものであってもよいし、内部に仕切りが設けられているものであってもよい。また、蓋２２０，５２０は、ヒンジ等を介して開閉可能にトレー２１０，５１０に取り付けられるものであってもよい。
【００７０】
また、係合凹部２１６，５１６は、実施の形態に示す形状に限定されるものではない。例えば、係合突起１２０，４２０と略同一の形状であってもよいし、曲面により構成されるものであってもよい。
【００７１】
また、包埋カセット用タグシート３００，６００は、実施の形態に示すものに限定されるものではない。例えば、包埋カセット用タグシート３００，６００に含まれる包埋カセット用タグ１００，４００の個数は、図に示す個数に限定されるものではなく、包埋カセット用タグ１００，４００が配置される方向は、図に示す方向に限定されるものではない。
【産業上の利用可能性】
【００７２】
本考案の包埋カセット用タグ、包埋カセットおよび包埋カセット用タグシートは、病理組織検査の分野で特に利用することができる。
【図面の簡単な説明】
【００７３】
【図１】（ａ）本考案の実施形態１に係る包埋カセット用タグ１００の正面図である。（ｂ）実施形態１に係る包埋カセット用タグ１００の底面図である。
【図２】（ａ）図１（ａ）における係合突起１２０を拡大して示す図である。（ｂ）図２（ａ）のＡ−Ａ線に沿う断面図である。
【図３】（ａ）実施形態１に係る包埋カセット２００の平面図である。（ｂ）実施形態１に係る包埋カセット２００の右側面図である。（ｃ）図３（ａ）のＢ−Ｂ線に沿う断面図である。
【図４】（ａ）図３（ｂ）のＣ−Ｃ線に沿う断面において係合凹部２１６を拡大して示す図である。（ｂ）図４（ａ）のＤ−Ｄ線に沿う断面図である。
【図５】（ａ）〜（ｃ）包埋カセット２００に包埋カセット用タグ１００を取り付ける様子を示す概略図である。
【図６】（ａ）包埋カセット用タグ１００の係合突起１２０が包埋カセット２００の係合凹部２１６内に収容された状態を拡大して示す断面図である。（ｂ）図６（ａ）におけるＢ−Ｂ方向断面図である。
【図７】実施形態１に係る包埋カセット用タグシート３００の正面図である。
【図８】（ａ）本考案の実施形態２に係る包埋カセット用タグ４００の正面図である。（ｂ）実施形態２に係る包埋カセット用タグ４００の底面図である。
【図９】図９（ａ）実施形態２に係る包埋カセット５００の平面図、（ｂ）実施形態２に係る包埋カセット５００の右側面図および（ｃ）図９（ａ）のＢ−Ｂ線に沿う断面図である。
【図１０】（ａ）包埋カセット用タグ４００の係合突起４２０が包埋カセット５００の係合凹部５１６内に収容された状態を拡大して示す断面図である。（ｂ）図１０（ａ）におけるＧ−Ｇ線に沿う断面図である。
【図１１】実施形態２に係る包埋カセット用タグシート６００の正面図である。
【符号の説明】
【００７４】
１００，４００・・・包埋カセット用タグ
１１０，４１０・・・表示部
１１０Ａ，４１０Ａ・・・幅狭部
１１０Ｂ，４１０Ｂ・・・幅広部
１２０，４２０・・・係合突起
１２２，４２２・・・導入部
１２４，４２４・・・第１の係止端部
１２６，４２６・・・第２の係止端部
２００，５００・・・包埋カセット
２１４，５１４・・・嵌合凹部
２１６，５１６・・・係合凹部
３００，６００・・・包埋カセット用タグシート
３２０・・・ランナ
６１０・・・切込
【図１】
0003129201.tif 000003
【図２】
0003129201.tif 000004
【図３】
0003129201.tif 000005
【図４】
0003129201.tif 000006
【図５】
0003129201.tif 000007
【図６】
0003129201.tif 000008
【図７】
0003129201.tif 000009
【図８】
0003129201.tif 000010
【図９】
0003129201.tif 000011
【図１０】
0003129201.tif 000012
【図１１】
0003129201.tif 000013